【手続補正書】
【提出日】平成17年5月19日(2005.5.19)
【手続補正１】
【補正対象書類名】明細書
【補正対象項目名】発明の名称
【補正方法】変更
【補正の内容】
【発明の名称】文書処理方法及びその装置とプログラム
【手続補正２】
【補正対象書類名】明細書
【補正対象項目名】特許請求の範囲
【補正方法】変更
【補正の内容】
【特許請求の範囲】
【請求項１】
文書の印刷体裁を設定する文書処理方法であって、
文書全体の印刷体裁を設定する第１設定工程と、
前記文書の所定単位毎に、前記文書に含まれる所定の属性単位毎の印刷体裁を設定する第２設定工程と、
前記第１及び第２設定工程において設定された前記印刷体裁に基づいて、前記文書の印刷体裁を整えることにより前記文書を印刷データに変換する変換工程とを有し、
前記変換工程では、前記第２設定工程で設定された前記所定の属性単位について前記第２設定工程で設定された前記印刷体裁を用い、前記第２設定工程で設定された前記所定の属性単位に含まれない部分について前記第１設定工程で設定された前記印刷体裁を用いることを特徴とする文書処理方法。
【請求項２】
前記文書の所定単位は章又はページであることを特徴とする請求項１に記載の文書処理方法。
【請求項３】
前記文書は、章及びページの階層構造で構成されており、
前記第２設定工程は、
章単位で設定を行う章設定工程と、
ページ単位で設定を行うページ設定工程と
を有することを特徴とする請求項１又は２に記載の文書処理方法。
【請求項４】
前記変換工程では、前記ページ設定工程で設定された所定属性単位の印刷体裁を、当該ページの印刷体裁として、前記章設定工程において設定された印刷体裁に優先させることを特徴とする請求項３に記載の文書処理方法。
【請求項５】
前記所定の属性単位は、同じ属性を有する１以上の印刷体裁項目を含むことを特徴とする請求項１乃至４のいずれか１項に記載の文書処理方法。
【請求項６】
前記第２設定工程は、前記第１設定工程により設定された印刷体裁に設定する工程を有することを特徴とする請求項１乃至５のいずれか１項に記載の文書処理方法。
【請求項７】
文書の印刷体裁を設定する文書処理装置であって、
文書全体の印刷体裁を設定する第１設定手段と、
前記文書の所定単位毎に、前記文書に含まれる所定の属性単位毎の印刷体裁を設定する第２設定手段と、
前記第１及び第２設定手段により設定された前記印刷設定に基づいて、前記文書の印刷体裁を整えることにより前記文書を印刷データに変換する変換手段とを有し、
前記変換手段は、前記第２設定手段により設定された前記所定の属性単位について前記第２設定手段で設定された前記印刷体裁を用い、前記第２設定手段で設定された前記所定の属性単位に含まれない部分について前記第１設定手段により設定された前記印刷体裁を用いることを特徴とする文書処理装置。
【請求項８】
前記文書の所定単位は章又はページであることを特徴とする請求項７に記載の文書処理装置。
【請求項９】
前記文書は、章及びページの階層構造で構成されており、
前記第２設定手段は、
章単位で設定を行う章設定手段と、
ページ単位で設定を行うページ設定手段と、
を有することを特徴とする請求項７又は８に記載の文書処理装置。
【請求項１０】
前記変換手段は、前記ページ設定手段により設定された前記所定の属性単位の前記印刷体裁を、当該ページの印刷体裁として、前記章設定手段により設定された印刷体裁に優先させることを特徴とする請求項９に記載の文書処理装置。
【請求項１１】
前記所定属性単位は、同じ属性を有する１以上の印刷体裁項目含むことを特徴とする請求項７乃至１０のいずれか１項に記載の文書処理装置。
【請求項１２】
前記第２設定手段は、前記第１設定手段により設定された前記印刷体裁に設定する手段を有することを特徴とする請求項７乃至１１のいずれか１項に記載の文書処理装置。
【請求項１３】
文書の印刷体裁を設定する文書処理方法をコンピュータにより実行させるために、該コンピュータを、
文書全体の印刷体裁を設定する第１設定手段と、
前記文書の所定単位毎に、前記文書に含まれる所定の属性単位毎の印刷体裁を設定する第２設定手段と、
前記第１及び第２設定手段により設定された前記印刷設定に基づいて、前記文書の印刷体裁を整えることにより前記文書を印刷データに変換する変換手段とを有し、
前記変換手段は、前記第２設定手段により設定された前記所定の属性単位について前記第２設定手段で設定された前記印刷体裁を用い、前記第２設定手段で設定された前記所定の属性単位に含まれない部分について前記第１設定手段により設定された前記印刷体裁を用いる文書処理装置として機能させることを特徴とするプログラム。
【請求項１４】
前記文書の所定単位は章又はページであることを特徴とする請求項１３に記載のプログラム。
【請求項１５】
前記文書は、章及びページの階層構造で構成されており、
前記第２設定手段は、
章単位で設定を行う章設定手段と、
ページ単位で設定を行うページ設定手段と、
を有することを特徴とする請求項１３又は１４に記載のプログラム。
【請求項１６】
前記変換手段は、前記ページ設定手段により設定された前記所定の属性単位の前記印刷体裁を、当該ページの印刷体裁として、前記章設定手段により設定された印刷体裁に優先させることを特徴とする請求項１５に記載のプログラム。
【請求項１７】
前記所定属性単位は、同じ属性を有する１以上の印刷体裁項目を含むことを特徴とする請求項１３乃至１６のいずれか１項に記載のプログラム。
【請求項１８】
前記第２設定手段は、前記第１設定手段により設定された前記印刷体裁に設定する手段を有することを特徴とする請求項１３乃至１７のいずれか１項に記載のプログラム。
【請求項１９】
請求項１３乃至１８のいずれか１項に記載のプログラムを記憶したことを特徴とする記憶媒体。
【手続補正３】
【補正対象書類名】明細書
【補正対象項目名】０００１
【補正方法】変更
【補正の内容】
【０００１】
【発明の属する技術分野】
本発明は、章やページを含む文書に対して、例えば章やページごとに個別の設定を行うことができる文書処理方法及びその装置及びそのプログラムに関するものである。
【手続補正４】
【補正対象書類名】明細書
【補正対象項目名】００１２
【補正方法】変更
【補正の内容】
【００１２】
本発明は上記問題点を鑑みてなされたものであり、文書の作成及び編集の操作性を高めて文書編集の生産性を向上させる文書処理方法及び装置及びそのプログラムを提供することを第１の目的とする。
【手続補正５】
【補正対象書類名】明細書
【補正対象項目名】００１３
【補正方法】変更
【補正の内容】
【００１３】
更に、文書の印刷体裁を設定するにあたって、文書の所定単位毎に、容易に任意の印刷体裁を設定できるようにした文書処理方法及び装置及びそのプログラムを提供することを第２の目的とする。
【手続補正６】
【補正対象書類名】明細書
【補正対象項目名】００１４
【補正方法】変更
【補正の内容】
【００１４】
【課題を解決するための手段】
上記目的を達成するために本発明の文書処理装置は以下のような構成を備える。即ち、  文書の印刷体裁を設定する文書処理装置であって、
文書全体の印刷体裁を設定する第１設定手段と、
前記文書の所定単位毎に、前記文書に含まれる所定の属性単位毎の印刷体裁を設定する第２設定手段と、
前記第１及び第２設定手段により設定された前記印刷設定に基づいて、前記文書の印刷体裁を整えることにより前記文書を印刷データに変換する変換手段とを有し、
前記変換手段は、前記第２設定手段により設定された前記所定の属性単位について前記第２設定手段で設定された前記印刷体裁を用い、前記第２設定手段で設定された前記所定の属性単位に含まれない部分について前記第１設定手段により設定された前記印刷体裁を用いることを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】変更
【補正の内容】
【００１６】
上記目的を達成するために本発明の文書処理方法は以下のような工程を備える。即ち、  文書の印刷体裁を設定する文書処理方法であって、
文書全体の印刷体裁を設定する第１設定工程と、
前記文書の所定単位毎に、前記文書に含まれる所定の属性単位毎の印刷体裁を設定する第２設定工程と、
前記第１及び第２設定工程において設定された前記印刷体裁に基づいて、前記文書の印刷体裁を整えることにより前記文書を印刷データに変換する変換工程とを有し、
前記変換工程では、前記第２設定工程で設定された前記所定の属性単位について前記第２設定工程で設定された前記印刷体裁を用い、前記第２設定工程で設定された前記所定の属性単位に含まれない部分について前記第１設定工程で設定された前記印刷体裁を用いることを特徴とする。
【手続補正９】
【補正対象書類名】明細書
【補正対象項目名】００１７
【補正方法】変更
【補正の内容】
【００１７】
上記目的を達成するために本発明のプログラムは以下のような構成を備える。即ち、
文書の印刷体裁を設定する文書処理方法をコンピュータにより実行させるために、該コンピュータを、
文書全体の印刷体裁を設定する第１設定手段と、
前記文書の所定単位毎に、前記文書に含まれる所定の属性単位毎の印刷体裁を設定する第２設定手段と、
前記第１及び第２設定手段により設定された前記印刷設定に基づいて、前記文書の印刷体裁を整えることにより前記文書を印刷データに変換する変換手段とを有し、
前記変換手段は、前記第２設定手段により設定された前記所定の属性単位について前記第２設定手段で設定された前記印刷体裁を用い、前記第２設定手段で設定された前記所定の属性単位に含まれない部分について前記第１設定手段により設定された前記印刷体裁を用いる文書処理装置として機能させることを特徴とする。